(57)【要約】【課題】  複数の作像エンジンから中間転写体を介して記録シートへトナー像を一括転写するに当たり、中間転写体から記録シートへのトナー像の転写効率を高め、例えばエンボス紙の如く受像面に凹凸が存在する記録シートであっても、画像抜けが発生することなく高品位な記録画像を形成する。【解決手段】  中間転写方式のタンデム型画像形成装置において、中間転写体１の周囲のうち少なくとも２段目以降の作像エンジン２−２の下流側に設けられ、トナーの正規帯電極性と同極性のオフセット電圧が印加されると共に各作像エンジン２による一次転写部位、一括転写器４による二次転写部位にて中間転写体１上のトナー像のトナー帯電分布全体が正規帯電極性側に偏倚した状態に調整可能な分布調整帯電器５を付加する。【選択図】  図１
2006259571.tif 000002
【特許請求の範囲】
【請求項１】
トナー像が多重転写される中間転写体と、
この中間転写体の周囲に直列的に配列され、画情報に応じたトナー像を形成すると共に該トナー像を前記中間転写体上に一次転写する複数段の作像エンジンと、
各作像エンジンにて中間転写体上に順次転写されたトナー像を記録シートに二次転写する一括転写器と、
前記中間転写体の周囲のうち少なくとも２段目以降の作像エンジンの下流側に設けられ、トナーの正規帯電極性と同極性のオフセット電圧が印加されると共に各作像エンジンによる一次転写部位、一括転写器による二次転写部位にて中間転写体上のトナー像のトナー帯電分布全体が正規帯電極性側に偏倚した状態に調整可能な分布調整帯電器と、
を備えたことを特徴とする画像形成装置。
【請求項２】
前記分布調整帯電器は、少なくとも２段目以降の各作像エンジンの下流側の全て若しくは複数箇所に設けられることを特徴とする請求項１記載の画像形成装置。
【請求項３】
前記分布調整帯電器は、１段目と２段目の作像エンジンの間にも設けられることを特徴とする請求項１記載の画像形成装置。
【請求項４】
前記分布調整帯電器は中間転写体の表面側に配置された非接触式帯電器であることを特徴とする請求項１記載の画像形成装置。
【請求項５】
前記分布調整帯電器は中間転写体の裏面に接触配置された電極部材であることを特徴とする請求項１記載の画像形成装置。
【請求項６】
前記分布調整帯電器に印加する電圧が制御可能な制御装置を備え、この制御装置には環境センサを設け、この環境センサの検出値に応じて前記分布調整帯電器に印加する電圧を制御することを特徴とする請求項１記載の画像形成装置。
【請求項７】
前記分布調整帯電器に印加する電圧が制御可能な制御装置を備え、この制御装置には記録シート種判定部を設け、判定された記録シート種に応じて前記分布調整帯電器に対する電圧印加の有無を制御することを特徴とする請求項１記載の画像形成装置。
【請求項８】
前記中間転写体は無端状ベルトとして構成されており、かかる中間転写体の体積抵抗率が１０12Ω・ｃｍ以上であることを特徴とする請求項１記載の画像形成装置。
【発明の詳細な説明】
【技術分野】
【０００１】
本発明は、電子写真方式を用いて記録画像の形成を行う複写機やプリンタ等の画像形成装置に係り、特に、中間転写体の周囲にトナー像を形成する作像エンジンを複数段配置し、各作像エンジンから中間転写体上に一次転写されたトナー像を記録シートへ二次転写するように構成した画像形成装置に関する。
【背景技術】
【０００２】
電子写真方式を用いて記録画像を形成する複写機やレーザービームプリンタ等では、感光体ドラム等の像担持体を備えた作像エンジンを用いて、前記像担持体上に画情報に応じたトナー像を形成した後、かかるトナー像を用紙などの記録シートに転写し、更にトナー像が転写された記録シートを定着器に挿通させることで該トナー像を記録シートに固定している。また、フルカラー画像を形成するカラー画像形成装置においては、イエロー、マゼンタ、シアン及びブラックの各色に対応した４基の作像エンジンを備えた所謂タンデム型の画像形成装置も知られている。このタンデム型の画像形成装置では、ベルト状、あるいはドラム状に形成された中間転写体の周方向に沿って４基の作像エンジンを直列に配置し、画情報に応じて形成されたイエロー、マゼンタ、シアン及びブラックの各色トナー像を各作像エンジンから中間転写体上に一次転写させ、かかる中間転写体上でこれらのトナー像が重なり合った合成トナー像を形成している。そして、この中間転写体から記録シートへ合成トナー像を二次転写し、最後に記録シートを定着器に挿通させることで、記録シート上にフルカラーの記録画像を形成している（例えば、特許文献１参照）。
【０００３】
トナー像を記録シートあるいは中間転写体に転写する方式としては、所謂静電転写が用いられている。前記作像エンジンにおいては、現像器内に保持されたトナーが像担持体に書き込まれた静電潜像を現像してトナー像を形成しているが、トナーは静電誘引力によって像担持体の表面に付着するので、トナー像を形成している個々のトナーは一定の極性で且つ所定以上の電荷を有している。このため、静電転写においては、記録シートの受像面の裏側、あるいは中間転写体の受像面の裏側に転写ロール等の転写部材を配置し、記録シートあるいは中間転写体を像担持体に密着させると共に、前記転写部材にトナーの帯電極性と逆極性の転写バイアス電圧を印加し、像担持体と転写部材との間に電界を形成することで、トナーを像担持体から記録シートに転写している。
【０００４】
【特許文献１】特開２００２−１４８８９５号公報（発明の実施の形態，図２）
【特許文献２】特開２００２−２５８５７６号公報（発明の実施の形態，図１）
【発明の開示】
【発明が解決しようとする課題】
【０００５】
ここで、像担持体から記録シートや中間転写体等の受像体へ転移する個々のトナーは一様な帯電量をそなえているのではなく、その帯電量にはある程度の幅が存在している。
図１０は像担持体上に現像されたトナー像における個々のトナーの帯電量のモデル分布を示すグラフであり、横軸が帯電量を、縦軸が横軸に示された帯電量を備えているトナーの量を示している。このモデル分布におけるトナーは図１０に実線で示すようにマイナス極性に帯電している。静電転写においては受像体と像担持体との間に転写電界が形成され、かかる転写電界に基づく静電誘引力によってトナー像の転写が行われることから、トナー像の転写効率を高めるためには、総てのトナーは正負いずれか一方の極性に帯電していなければならず、しかも、ある程度以上の大きさの帯電量を備えている方が好ましい。特に、エンボス紙の如く表面に凹凸が存在する記録シートでは、感光体ドラムから記録シートへ、あるいは中間転写体から記録シートへトナー像を転写する際に、両者の物理的な密着が弱いので、トナーの帯電量が低下すると、トナー像の転写効率が極端に悪くなってしまう。
【０００６】
図１１は４基の作像エンジン１００〜１０３を備えたタンデム型の画像形成装置において、中間転写体１０４に一次転写されたトナーの帯電量分布の変化を示すモデル図である。中間転写体１０４の回転方向の最上流に位置している作像エンジン１００からトナー像の一次転写を行い、かかるトナー像の帯電量が各作像エンジン１０１，１０２，１０３を通過した直後にどのように変化するかを示している。この図から明らかなように、中間転写体の最上流に位置している１段目の作像エンジン１００から該中間転写体１０４へトナー像が転写されると、かかるトナー像中のトナーの帯電量の分布は図１０に実線で示した像担持体上における分布よりも拡がってくる。これは作像エンジン１００から中間転写体１０４へトナー像を一次転写する際に、中間転写体１００の裏面側からトナーの帯電極性と逆極性の転写バイアス電圧が印加されているためであると考えられる。もっとも、作像エンジン１００から中間転写体１０４へ転写された直後のトナーの帯電分布は、依然として転写前後で同じ極性を保っており、この程度の分布の拡がりであれば、トナー像の二次転写には殆ど影響ないものと考えられる。
【０００７】
しかし、１段目の作像エンジン１００から一次転写されたトナー像が２段目の作像エンジン１０１の一次転写部を通過すると、図１０に点線で示すように、かかるトナー像中のトナーの帯電量の分布は更に拡がり、一部のトナーは帯電極性が反転してしまう。これは、２段目の作像エンジン１０１で形成したトナー像を中間転写体１０４へ転写する際にも、トナーの帯電極性と逆極性の転写バイアス電圧が印加されており、１段目の作像エンジン１００から一次転写されたトナー像が２段目の作像エンジン１０１を通過する時にその影響を受けるからである。尚、実際に実験を行って確認したところによれば、１段目の作像エンジン１００から一次転写されたトナー像が２段目の作像エンジン１０１の一次転写部を通過し、更に３段目の作像エンジン１０２の一次転写部を通過しても、また更に４段目の作像エンジン１０３の一次転写部を通過しても、トナーの帯電量の分布は２段目の作像エンジン１０１を通過した後と殆ど変わりなかった。
【０００８】
このようにトナーの帯電分布が拡がり、帯電量の極端に低いトナーや帯電極性の反転したトナーが発生すると、トナー像を中間転写体から記録シートへ静電転写する際に、静電誘引力によるトナー像の転写効率が低下してしまう。受像面に凹凸が殆どない平坦な記録シートの場合は、かかる受像面を中間転写体へ一様に密着させることができるので、トナーと記録シートとの物理的な付着力の介助もあって、トナー像の実際の転写効率はさほど低下しないが、例えばエンボス紙のように受像面の凹凸の大きい用紙の場合には、受像面の凹部においてトナー像の転写が困難となり、記録画像に転写抜け(白抜け)が発生してしまう。
【０００９】
本発明は以上の技術的課題を解決するためになされたものであり、複数の作像エンジンから中間転写体を介して記録シートへトナー像を一括転写するに当たり、中間転写体から記録シートへのトナー像の転写効率を高め、例えばエンボス紙の如く受像面に凹凸が存在する記録シートであっても、画像抜けが発生することなく高品位な記録画像を形成することが可能なタンデム型の画像形成装置を提供することにある。
【課題を解決するための手段】
【００１０】
すなわち、本発明は、図１に示すように、トナー像が多重転写される中間転写体１と、この中間転写体１の周囲に直列的に配列され、画情報に応じたトナー像を形成すると共に該トナー像を前記中間転写体１上に一次転写する複数段（ｎ段：ｎ＝２以上の自然数）の作像エンジン２（具体的には２−１，２−２，……２−ｎ）と、各作像エンジン２にて中間転写体１上に順次転写されたトナー像を記録シート３に二次転写する一括転写器４と、前記中間転写体１の周囲のうち少なくとも２段目以降の作像エンジン２−２の下流側に設けられ、トナーの正規帯電極性と同極性のオフセット電圧が印加されると共に各作像エンジン２による一次転写部位、一括転写器４による二次転写部位にて中間転写体１上のトナー像のトナー帯電分布全体が正規帯電極性側に偏倚した状態に調整可能な分布調整帯電器５とを備えたものである。
【００１１】
このような技術的手段において、本件は中間転写方式を採用したタンデム型画像形成装置を前提とする。
本発明において、中間転写体１としてはベルト状のみならず、ドラム状でもよい。
また、作像エンジン２はトナーが用いられる作像方式を採用したものであれば電子写真方式を始め、静電記録方式など広く含む。そしてまた、作像エンジン２の数は複数あればよく、５基以上であっても差し支えない。
更に、分布調整帯電器５の設置箇所として、少なくとも２段目以降の作像エンジン２−２の下流側としたのは、１段目の作像エンジン２−１の下流側ではトナーの帯電分布の一部が逆帯電極性に変化することはほとんどないことによる。
更にまた、分布調整帯電器５はトナーの正規帯電極性と同極性のオフセット電圧が印加されることを要する。但し、オフセット電圧の程度は、分布調整帯電器５の設置数、設置箇所によって適宜選定可能であるが、各作像エンジン２による一次転写部位、一括転写器４による二次転写部位にて中間転写体１上のトナー像のトナー帯電分布全体が正規帯電極性側に偏倚した状態に調整可能な範囲に限られる。
【００１２】
ここで、前記分布調整帯電器５としては、少なくとも１つの帯電器を、中間転写体１の周囲であって、２段目の作像エンジン２−１におけるトナー像の一次転写部位から一括転写器４による二次転写部位に至る経路の間に設けたものであればよく、その具体的な配設位置は２段目以降の作像エンジン２のいずれか一つとその次段の作像エンジンとの間であってもよいし、ｎ段目の作像エンジン２−ｎと二次転写部位との間であってもよい。
このような位置に設けられた分布調整帯電器５に対してトナーの正規帯電極性、すなわちトナーの正規帯電極性と同極性の電圧を印加すると、中間転写体１上に一次転写されたトナーの帯電分布を補正することができ、一次転写部位を繰り返し通過することで帯電極性が反転してしまったトナーを正規帯電極性に復帰させ、また、極性が反転はしないまでも帯電量が低下してしまったトナーの帯電量を増強することができる。これにより、中間転写体１から記録シート３へトナー像を二次転写する際に、トナー像を形成する個々のトナーに対して記録シート３へ向けた静電誘引力を確実に作用させ、トナー像の転写効率が低下するのを防止することができる。従って、受像面に凹凸の存在するエンボス紙の如き記録シート３に対してトナー像を二次転写する場合であっても、転写効率が極端に低下するのを防止することができ、転写抜けによる画質低下を防止することが可能となる。
また、本件の分布調整帯電器５は作像エンジン２による各一次転写部位にて中間転写体１上のトナー像のトナー帯電分布全体が正規帯電極性側に偏倚した状態に調整するものであるから、各一次転写部位にて中間転写体１上のトナー像の逆極性トナーが作像エンジン２側の像担持体（例えば感光体ドラム等）にリトランスファーすることもない。
【００１３】
また、分布調整帯電器５の設置数については少なくとも一つあればよいが、好ましい態様としては、少なくとも２段目以降の各作像エンジン２の下流側の全て若しくは複数箇所以上に設けられる態様が挙げられる。本態様によれば、トナー像のトナー帯電分布全体を正規帯電極性側に偏倚した状態に確実に保つことが可能である。
より具体的に述べると、前記分布調整帯電器５として１つの帯電器を設けるのであれば、その配設位置としては、ｎ段目の作像エンジン２−ｎと二次転写部位との間が好ましい。この位置に配設すれば、ｎ−１段目の作像エンジン２−ｎ−１で中間転写体１に一次転写されたトナー像がｎ段目の作像エンジン２−ｎの一次転写部位を通過し、かかるトナー像中のトナーの帯電分布が拡がってしまった場合であっても、それを補正することができる。もっとも、１段目の作像エンジン２−１によって中間転写体１に一次転写されたトナー像に注目した場合、かかるトナー像が２段目の作像エンジン２−２を通過することによって生じるトナーの帯電分布の変化に対しては、２段目の作像エンジン２−２と３段目の作像エンジン２−３との間に分布調整帯電器５を設けた場合であっても十分に有効であり、中間転写体１上のトナー像の記録シート３への二次転写効率を高めることが可能となる。すなわち、本発明では前記分布調整帯電器５の配設位置として、２段目以降の作像エンジンのいずれか一つとその次段の作像エンジンとの間を選択しても、トナー像の転写抜けに対してある程度有効である。
【００１４】
一方、前記分布調整帯電器５をｎ段目の作像エンジン２−ｎと二次転写部位との間に設ける場合、ｎ段目の作像エンジン２−ｎを通過した中間転写体１上にはトナー像が多重に転写されており、中間転写体１に付着しているトナーの総量も多いことから、かかる分布調整帯電器５に対してある程度大きな電圧を印加しなければ、トナーの帯電分布を前述の如く補正することができない。しかし、分布調整帯電器５に印加する電圧の絶対値が大きくなると、かかる分布調整帯電器５を通過したトナー像でトナーの飛び散りが発生し、画像品質が低下するといった問題点も確認されている。
従って、トナーの飛び散りによる画質劣化を避けるといった観点からすれば、分布調整帯電器５に印加する電圧の絶対値は低い方が好ましく、且つ、印加電圧の絶対値を低下させつつもトナー像の転写抜けを防止するといった観点からすれば、２段目の作像エンジン２−２におけるトナー像の一次転写部位から記録シート３に対するトナー像の二次転写部位に至る経路の間に、前記分布調整帯電器５を複数(２段目以降の各作像エンジン２の下流側全て若しくは複数箇所に)設けるのが好ましい。このように構成すれば、個々の分布調整帯電器５に印加する電圧は低く抑えつつ、トナー像を形成しているトナーの帯電分布を確実に補正することができるので、トナーの飛び散りによる画質劣化を防止しつつ、記録シートに対するトナー像の転写抜けを防止することが可能となる。
更に、分布調整帯電器５の設置態様としては、１段目の作像エンジン２−１直後の下流側に分布調整帯電器５を設置するようにしてもよい。この場合、トナーの帯電分布を予め調整し、逆帯電極性側への偏倚を抑制することが可能になる点で好ましい。
【００１５】
また、本件の分布調整帯電器５に近似した先行技術が提示されている（例えば特許文献２参照）が、本件と無関係であることを念のため補足しておく。
つまり、特許文献２記載の先行技術は、両面印刷用の二つの印刷ステーション（中間転写方式のタンデム型画像形成装置態様）を有し、夫々の印刷ステーションにて同極性のトナーを使用するものであり、一括転写前に、第二の印刷ステーションで形成されたトナー像の帯電極性をコロナ帯電器にて反転させ、一括転写処理を可能とするものである。
しかしながら、この先行技術におけるコロナ帯電器による帯電処理は、正規帯電極性を逆極性に反転させる技術であり、反転させるのに充分な印加電圧を必要とするため、多重転写されたトナー像の飛び散り現象もあり、画質欠陥につながる懸念があるばかりか、本件の分布調整帯電器５の作用効果（トナー帯電分布全体を正規帯電極性側に偏倚した状態に調整可能とし、トナーの帯電分布が逆極性に至らないように帯電調整することで、一括転写性を良好に保つことができるばかりか、作像エンジンによる一次転写時のリトランスファーをも防止することができるという作用効果。）と全く相違するものである。
【００１６】
更に、分布調整帯電器５の代表的態様としては、中間転写体１の表面側に配置された非接触式帯電器であってもよいし、あるいは、中間転写体１の裏面に接触配置された電極部材であってもよい。
ここで、分布調整帯電器５として非接触帯電器を用いる場合、中間転写体１の裏面側でも差し支えないが、帯電効率からして表面側が好ましい。また、接触式帯電器を使用する場合、中間転写体１上のトナー像乱れを防止するという観点から、中間転写体１の裏面に電極部材を接触させる態様に限られる。
【００１７】
更にまた、分布調整帯電器５を用いた好ましい制御態様としては以下のものが挙げられる。
一つの態様としては、分布調整帯電器５に印加する電圧が制御可能な制御装置（図示せず）を備え、この制御装置には環境センサを設け、この環境センサの検出値に応じて前記分布調整帯電器５に印加する電圧を制御するようにすればよい。トナーの帯電分布は環境依存性が強いため、環境センサからの情報に基づいて分布調整帯電器５への印加電圧を制御するものである。
また、別の態様としては、分布調整帯電器５に印加する電圧が制御可能な制御装置（図示せず）を備え、この制御装置には記録シート種判定部を設け、判定された記録シート種に応じて前記分布調整帯電器に対する電圧印加の有無を制御するようにすればよい。分布調整帯電器５による帯電の要否は、記録シート種（普通紙、エンボス紙など）に依存しているため、記録シート種に応じて分布調整帯電器に対する電圧印加の有無を制御するものである。
【００１８】
更に、本発明の好ましい態様としては、中間転写体１を無端状ベルトとして構成し、かかる中間転写体１の体積抵抗率を１０12Ω・ｃｍ以上に設定する態様が挙げられる。中間転写体１を高抵抗にすることで電荷保持力を確保することが可能になるため、トナーの飛び散りを有効に防止できる。これに伴って、分布調整帯電器５の印加電圧を大きく設定することが可能になり、エンボス紙などの記録シート３に対し転写抜けがより改善される点で好ましい。
【発明の効果】
【００１９】
本発明によれば、中間転写方式のタンデム型画像形成装置において、中間転写体の周囲のうち少なくとも２段目以降の作像エンジンの下流側に設けられ、トナーの正規帯電極性と同極性のオフセット電圧が印加されると共に各作像エンジンによる一次転写部位、一括転写器による二次転写部位にて中間転写体上のトナー像のトナー帯電分布が正規帯電極性側に偏倚した状態に調整可能な分布調整帯電器を付加するようにしたので、以下のような基本的効果を得ることができる。
二次転写部位でトナーの帯電分布全体が正規帯電極性側に偏倚した状態に調整されることから、記録シートへのトナー転移量を充分に確保することが可能であり、エンボス紙などの凹凸のある記録シートでも白抜け等の転写不良は有効に防止することができる。
また、一次転写部位でトナーの帯電分布全体が正規帯電極性側に偏倚した状態に調整されることから、中間転写体に一次転写されたトナー像がリトランスファーすることは抑えられ、各色成分トナー像の像乱れは有効に防止することができる。
【発明を実施するための最良の形態】
【００２０】
以下、添付図面に沿って本発明の画像形成装置を詳細に説明する。
◎実施の形態１
先ず、図２は本発明が適用される画像形成装置の実施の形態１の全体構成を示す説明図である。
同図において、画像形成装置はカラーレーザビームプリンタの一例を示すもので、このレーザビームプリンタはイエロー、マゼンタ、シアン及びブラックの各色毎にトナー像を形成する４基の作像エンジン１０Ｙ、１０Ｍ、１０Ｃ、１０Ｂｋを備えると共に、各作像エンジンからトナー像が一次転写される中間転写ベルト２０を備え、かかる中間転写ベルト２０に多重転写されたトナー像を記録シートＰに二次転写してフルカラー画像を形成するように構成されている。
【００２１】
前記中間転写ベルト２０は無端状に形成されると共に駆動ロール２１を含む３本のベルト搬送ロール２１〜２３に架け回されており、矢線方向に回動しながら各色作像エンジン１０Ｙ、１０Ｍ、１０Ｃ、１０Ｂｋで形成されたトナー像の一次転写を受けるように構成されている。また、中間転写ベルト２０を挟んでベルト搬送ロール２３と対向する位置には二次転写ロール３０が配設されており、記録シートＰは互いに圧接する二次転写ロール３０と中間転写ベルト２０との間に挿通されて、かかる中間転写ベルト２０からトナー像の二次転写を受けるようになっている。すなわち、前記ベルト搬送ロール２３は二次転写ロール３０のバックアップロールとして機能しており、これら二次転写ロール３０及びベルト搬送ロール２３によって二次転写部が構成されている。
【００２２】
この中間転写ベルト２０は３本のベルト搬送ロール２１〜２３に張架されており、ベルト搬送ロール２１，２２の間に略水平な受像スパンが形成される一方、この受像スパンの直下に前記二次転写ロール３０と対向する第３のベルト搬送ロール２３が配設されており、全体として逆三角形状に張られている。
【００２３】
前記中間転写ベルト２０の受像スパン上には前述した４基の作像エンジン１０Ｙ、１０Ｍ、１０Ｃ、１０Ｂｋが並列的に配設されており、各色の画情報に応じて形成したトナー像を中間転写ベルト２０に一次転写するようになっている。これら４基の作像エンジンは中間転写ベルト２０の回動方向に沿ってイエロー１０Ｙ、マゼンタ１０Ｍ、シアン１０Ｃ及びブラック１０Ｂｋの順に配設されており、最も頻繁に使用されるであろうブラックの作像エンジン１０Ｂｋが最も二次転写部の近傍に配置されている。また、これら作像エンジン１０Ｙ、１０Ｍ、１０Ｃ、１０Ｂｋは、各作像エンジンに具備された感光体ドラム１１を画情報に応じて露光するラスタ走査ユニット（ＲＯＳ）１２を夫々備えており、各色の画情報に応じて変調されたレーザ光Ｂｍが各作像エンジン１０Ｙ、１０Ｍ、１０Ｃ、１０Ｂｋの感光体ドラム１１を露光するようになっている。
【００２４】
また、各作像エンジン１０Ｙ、１０Ｍ、１０Ｃ、１０Ｂｋは、感光体ドラム１１と、この感光体ドラム１１を一様な背景部電位にまで帯電させる帯電器１３と、前記レーザ光Ｂｍの露光によって感光体ドラム１１上に形成された静電潜像を現像してトナー像を形成する現像器１４と、トナー像を中間転写ベルト２０に転写した後の感光体ドラム１１の表面から残留トナーや紙粉を除去するドラムクリーナ１５とを備えており、感光体ドラム１１上に各色の画情報に応じたトナー像を形成し得るように構成されている。
【００２５】
各作像エンジン１０Ｙ、１０Ｍ、１０Ｃ、１０Ｂｋの感光体ドラム１１と対向する位置には、中間転写ベルト２０を挟むようにして一次転写ロール１７Ｙ、１７Ｍ、１７Ｃ、１７Ｂｋが配設されており、これら一次転写ロール１７Ｙ、１７Ｍ、１７Ｃ、１７Ｂｋに対して所定の転写バイアス電圧を印加することにより、感光体ドラム１１と一次転写ロール１７Ｙ、１７Ｍ、１７Ｃ、１７Ｂｋとの間に電界が形成され、感光体ドラム１１上で電荷を帯びているトナー像がクーロン力で中間転写ベルト２０に転写されるようになっている。このプリンタにおいて、静電潜像を現像する際のトナーの帯電極性はマイナス極性に設定されていることから、前記一次転写ロール１７Ｙ、１７Ｍ、１７Ｃ、１７Ｂｋに印加される転写バイアス電圧としてはプラス極性のものが印加されている。
【００２６】
従って、このカラーレーザビームプリンタによるフルカラー画像の形成に当たっては、先ず、各色の画情報に応じてラスタ走査ユニット１２が各作像エンジン１０Ｙ、１０Ｍ、１０Ｃ、１０Ｂｋの感光体ドラム１１を所定のタイミングで露光して静電潜像を形成した後、かかる静電潜像を現像器１４で現像することにより、各作像エンジン１０Ｙ、１０Ｍ、１０Ｃ、１０Ｂｋの感光体ドラム１１上には画情報に応じたトナー像が形成される。各作像エンジン１０Ｙ、１０Ｍ、１０Ｃ、１０Ｂｋで形成されたトナー像は回動する中間転写ベルト２０に対して順次転写され、かかる中間転写ベルト２０上には各色トナー像が重なり合った多重トナー像が形成される。
【００２７】
一方、記録シートＰは給紙ロール４１によって給紙カセット４０から一枚ずつ引き出された後、図中に一点鎖線で示す所定のシート給送通路４６を経て中間転写ベルト２０と二次転写ロール３０とが接する二次転写部に給送される。二次転写部の手前側にはレジストレーションロール４２が設けられており、記録シートＰはこのレジストレーションロール４２によって二次転写部に対する突入タイミングが制御され、中間転写ベルト２０上に一次転写されたトナー像との位置合わせがなされる。
【００２８】
中間転写ベルト２０を挟んで二次転写ロール３０と対向するバックアップロール２３は絶縁性ロールの表面を半導電性シートで被覆して形成されており、その表面には所定の転写バイアス電圧が印加された導電性のコンタクトロール５０が当接している。従って、このコンタクトロール５０に対してトナー像と同極性の転写バイアス電圧を印加し、バックアップロール２３の表面に対して電荷を付与すると、記録シートＰの裏面側に位置する二次転写ロール３０と中間転写ベルト２０の裏面側に位置するバックアップロール２３との間に転写電界が形成され、中間転写ベルト２０上に保持されていたトナー像は記録シートＰに静電転写される。
【００２９】
トナー像の二次転写がなされた記録シートＰは中間転写ベルト２０から剥離された後、直列的に配置された二連のシート搬送ベルト４３によって定着器４４へと搬送される。そして、記録シートＰは定着器４４によってトナー像の定着がなされたのち、排紙トレイ４５に排出され、これによって記録シートＰに対するフルカラー画像の形成が完了する。また、このプリンタでは記録シートＰの画像面を下向きにした所謂フェイスダウン排出を可能にするため、定着器４４と排紙トレイ４５との間に記録シートＰの表裏を反転させるためのインバータ通路４７が形成されている。
【００３０】
一方、トナー像の二次転写が終了した後の中間転写ベルト２０は、ベルトクリーナ２４によってその表面から転写残留トナーが除去される。かかるベルトクリーナ２４は中間転写ベルト２０の表面からトナーや紙粉等を掻き取るクリーニングブレードを有しており、かかるクリーニングブレードはベルト搬送ロール２１との対向位置に設けられている。これにより、トナー像の二次転写が終了した中間転写ベルト２０の表面は清浄化され、次のトナー像の形成に供される。
【００３１】
図３は本実施の形態に係る画像形成装置の要部を示す説明図である。
図１１を用いて既に説明したように、複数の作像エンジン１０Ｙ，１０Ｍ，１０Ｃ，１０Ｂｋを直列に配列した所謂タンデム型の画像形成装置では、最終段を除く各作像エンジン１０Ｙ，１０Ｍ，１０Ｃの感光体ドラム１１から中間転写ベルト２０に一次転写されたトナー像が下流側に位置する次段の作像エンジンの一次転写部を通過した際、一次転写ロール１７Ｍ，１７Ｃ，１７Ｂｋにトナーと逆極性の転写バイアス電圧が印加されていることから、かかるトナー像の帯電分布が拡がりながらプラス極性へ僅かにシフトしてしまう。このため、中間転写ベルト２０上の多重トナー像を記録シートＰへ一括転写する二次転写の際に、中間転写ベルト２０から記録シートＰへ転写され難いトナーが発生し、記録シートＰに一括転写されたトナー像に白抜けが発生しやすいといった技術的課題が見られる。
【００３２】
従って、この実施の形態１では、中間転写ベルト２０の周囲のうち２段目の作像エンジン１０Ｍの下流側で、且つ、二次転写ロール３０よりも上流側に複数の分布調整帯電器６０を設置する構成が採用されている。
本例では、分布調整帯電器６０としては非接触式帯電器であるコロトロン６１が用いられており、中間転写ベルト２０の周囲のうち２段目の作像エンジン１０Ｍと３段目の作像エンジン１０Ｃとの間、並びに、最終段に位置するブラックの作像エンジン１０Ｂｋの下流側で且つ二次転写ロール３０よりも上流側の二箇所に、中間転写ベルト２０の表面と対峙するように非接触配置されている。そして、かかるコロトロン６１には電圧可変調整可能な可変電源６５が接続されており、トナーの正規帯電極性（この実施の形態ではマイナス極性）と同極性の電圧が印加されている。例えば、イエローの作像エンジン１０Ｙから中間転写ベルト２０に一次転写されたトナー像は、マゼンタ、シアン及びブラックの作像エンジン１０Ｍ，１０Ｃ，１０Ｂｋをくぐり抜け、その間にイエロートナー像を構成するトナーの帯電分布は変動してしまうが、２段目の作像エンジン１０Ｍ、最終段の作像エンジン１０Ｂｋの下流側に分布調整帯電器６０としてのコロトロン６１を設けることで、マゼンタの作像エンジン１０Ｍをくぐり抜けたイエロートナー像、並びに、ブラックの作像エンジン１０Ｂｋをくぐり抜けたイエロートナー像に対して、トナーの正規帯電極性と同極性の電荷を再度与えることができ、イエロートナーの帯電分布を補正することができる。
尚、マゼンタの作像エンジン１０Ｍ、シアンの作像エンジン１０Ｃ、ブラックの作像エンジン１０Ｂｋから夫々中間転写ベルト２０上に一次転写されたトナー像についても同じである。
【００３３】
このように、２段目の作像エンジン１０Ｍ、最終段の作像エンジン１０Ｂｋの一次転写部を通過してきた各色のトナー像に対して、コロトロン６０でトナーの正規帯電極性と同極性の電荷を与えることにより、帯電量が低下していたトナーについては該帯電量が増強され、また、帯電極性が逆極性（この場合はプラス極性）に反転してしまったトナーについては該帯電極性が正規帯電極性に逆転される。その結果、これらのトナー像が二次転写部に到達した際、中間転写ベルト２０上の多重トナー像に対して十分な静電誘引力を及ぼすことができ、トナー像の記録シートＰに対する転写効率を高めることができるものである。特に、エンボス紙の如くトナー像の受像面の凹凸が大きい記録シートを用いた場合に、受像面の凹部に対してもトナー像を確実に転写することができ、記録画像中に白抜けが発生するのを防止することができるものである。
また、各作像エンジン１０の一次転写部でも、中間転写ベルト２０上のトナー像のトナーの帯電分布全体は正規帯電極性側に偏倚した状態にあるため、一次転写時に中間転写ベルト２０上のトナー像が感光体ドラム１１上にリトランスファーするという懸念は有効に回避される。
【００３４】
特に、本実施の形態では、複数の分布調整帯電器６０（本例ではコロトロン６１を使用）を中間転写ベルト２０の周囲に配置し、各コロトロン６１に対してトナーの正規帯電極性と同極性の電圧を印加すれば、中間転写ベルト上のトナー像に対して複数のコロトロン６１から繰り返し電荷が注入されるので、個々のコロトロン６１に対する印加電圧の絶対値を低く抑えても、トナー像を構成しているトナーの帯電分布を的確に補正することが可能となる。すなわち、帯電量が低下しているトナーに対しては電荷を注入することで帯電量を上昇させ、帯電極性が反転しているトナーに対しては極性を元の正規極性に逆転させ、記録シートＰに対するトナー像の二次転写の転写効率を高めることが可能となり、エンボス紙に対するトナー像の転写白抜けの発生を防止することができる。また、個々のコロトロン６１に対する印加電圧は低く抑えることが可能なので、帯電分布の補正のときに生じるトナーの飛び散り有効に回避することができ、記録画像の画質低下を防止することが可能となる。
【００３５】
◎変形態様
本実施の形態では、分布調整帯電器６０（本例ではコロトロン６１）は図３に示すレイアウトにて設置されているが、これに限られるものではなく、例えば図４（ａ）に示すように、３段目のシアンの作像エンジン１０Ｃと最終段のブラックの作像エンジン１０Ｂｋとの間、及び、最終段のブラックの作像エンジン１０Ｂｋの下流側に夫々分布調整帯電器６０（例えばコロトロン６１）を設置するようにしてもよいし、あるいは、図４（ｂ）に示すように、１段目と２段目の作像エンジン１０Ｙ、１０Ｍ間、２段目と３段目の作像エンジン１０Ｍ、１０Ｃ間、及び３段目と最終段の作像エンジン１０Ｃ、１０Ｂｋ間に夫々分布調整帯電器６０（例えばコロトロン６１）を設置するようにしてもよいし、これらに限らず、２段目以降の各作像エンジンの直後、すなわちマゼンタ、シアン及びブラックの各作像エンジン１０Ｍ，１０Ｃ，１０Ｂｋの直後に夫々分布調整帯電器６０（例えばコロトロン）を設置したり、１段目〜最終段までの各作像エンジン１０Ｙ〜１０Ｂｋの下流側直後に夫々分布調整帯電器６０を設置したり、あるいは、２段目の作像エンジン１０Ｍ以降に分布調整帯電器６０を一つ設置する等適宜選定して差し支えない。
これらの各変形態様においては、少なくとも一次転写部、二次転写部を通過する際の中間転写ベルト２０上のトナーの帯電分布全体が正規帯電極性側に偏倚するように調整されていればよい。
【００３６】
また、変形態様の一つとして、１段目と２段目の作像エンジン１０Ｙ、１０Ｍ間に分布調整帯電器６０を設置した態様にあっては、帯電分布が拡がっているイエロートナー像に対して予め同極性の電荷を付与することにより、更にトナーの帯電分布を逆帯電極性側から離れた方向にシフトさせることが可能になり、その分、後段の作像エンジンの一次転写部を通過したとしても、トナーの帯電分布の逆帯電極性側へのシフトが抑制されるという利点がある。
【００３７】
更に、分布調整帯電器６０を一つ用いる態様にあっては、トナーの帯電分布の補正度合が大きくなるため、印加電圧を大きくすることが必要である。このような状況下では、中間転写ベルト２０上のトナー像の飛び散りを有効に防止する手法を採用することが好ましい。
ここで、トナーの飛び散りを抑える有効な手段としては、中間転写ベルト２０の体積抵抗率を高めに設定することが考えられる。本願発明者らが確認したところによれば、中間転写ベルト２０の体積抵抗率が１０12Ω・ｃｍ以上であれば、例えば分布調整帯電器６０を一つ設置した態様において、例えば分布調整帯電器６０としてのコロトロン６１に対して１〜４ｋＶの電圧を印加しても、中間転写ベルト２０上におけるトナーの飛び散りが軽減され、トナー像の二次転写における白抜けの発生を防止しつつ、記録画像の画質低下を回避することができた。
【００３８】
◎実施の形態２
図５（ａ）（ｂ）は本発明に係る画像形成装置の実施の形態２の要部を示す。
同図において、画像形成装置の基本的構成は、実施の形態１と略同様に、複数の分布調整帯電器６０としてのコロトロン６１を備えているが、実施の形態１と異なり、環境変化に応じて前記コロトロン６１に印加する電圧を制御するようにしたものである。尚、実施の形態１と同様な構成要素については実施の形態１と同様な符号を付してここではその詳細な説明を省略する。以下の実施の形態においても同様である。
【００３９】
本実施の形態において、中間転写ベルト２０上に一次転写されたトナー像が次段の作像エンジンを通過する際に生じるトナーの帯電分布の変化は、プリンタ内の温度・湿度の変化によって異なったものとなり、高温・高湿環境下においてはトナーの帯電分布の変化が著しく、極性が反転してしまうトナーもより多く発生する傾向にある。これは、半導電性である中間転写ベルト２０の抵抗値が温度・湿度の影響を受けて微妙に変化し、高温・高湿環境下ではその抵抗値が低下するためであると考えられる。
従って、分布調整帯電器６０としてのコロトロン６１によるトナーの帯電分布の補正を一層的確に行うためには、図５（ｂ）に示すように、分布調整帯電器６０としてのコロトロン６１に印加する電圧が制御可能な制御装置６６を備え、この制御装置６６にはプリンタ機内の温度・湿度を計測する環境センサ６７を設け、この環境センサ６７の検出値に応じて制御装置６６から可変電源６５に対して電圧制御信号を送出し、前記コロトロン６１に印加する電圧を制御するようにしたものである。
このように構成すれば、トナーの帯電分布の変化量に対応してコロトロン６１の印加電圧を変更することができ、例えば、高温・高湿環境下ではコロトロン６１に印加するマイナス極性の電圧の絶対値を大きく設定することで、極性が反転してしまったトナーに関しても確実に正規帯電極性に復帰させることができ、二次転写における転写白抜けを確実に防止することが可能となる。
【００４０】
◎実施の形態３
図６（ａ）（ｂ）は本発明に係る画像形成装置の実施の形態２の要部を示す。
同図において、画像形成装置の基本的構成は、実施の形態１と略同様に、複数の分布調整帯電器６０としてのコロトロン６１を備えているが、実施の形態１と異なり、記録シート種に応じて前記コロトロン６１への印加電圧の有無を制御するようにしたものである。
本実施の形態において、トナー像を記録シートＰへ二次転写した際の白抜けは、受像面に凹凸の存在するエンボス紙のような記録シートＰでは発生しやすいものの、上質紙や光沢紙のように受像面が滑らかな記録シートＰに関しては殆ど問題とならない。従って、総ての種類の記録シートＰに関して分布調整帯電器６０を動作させる必要は必ずしも必要ではなく、トナー像の転写白抜けが問題とならない上質紙や光沢紙において、分布調整帯電器６０を動作させると、帯電処理に伴って生ずるトナーの飛び散りが顕在化し、記録画像の画質低下をきたしてしまう懸念がある。
従って、トナー像の転写が行われる記録シートＰの種類に応じて、前記分布調整帯電器６０の動作の有無を使い分け、エンボス紙の如くトナー像の転写白抜けが問題となり易い記録シートＰでのみ、中間転写ベルト２０上におけるトナーの帯電分布の補正を行うのが好ましい。
【００４１】
本実施の形態では、例えば図６（ｂ）に示すように、分布調整帯電器６０としてのコロトロン６１に印加する電圧が制御可能な制御装置６６を備え、この制御装置６６には記録シート種判定部を設け、判定された記録シート種に応じて前記分布調整帯電器６０に対する電圧印加の有無を制御するようにすればよい。
ここで、記録シートのＰの種類を識別する方法としては、ユーザ自身が給紙カセット４０（図２参照）に装填した記録シートの種類をユーザインターフェースであるコントロールパネルのシート種選択スイッチ６８から入力し、かかる入力情報を使用して判別するように構成してもよいし、給紙カセット４０内の記録シートＰ、あるいはシート給送通路４６内を送られてきた記録シートＰの受像面を半導体レーザ等の照明手段で照らし、その反射光量から記録シートＰの種類を判別するようにしてもよい。
【００４２】
◎実施の形態４
図７（ａ）（ｂ）は本発明が適用された画像形成装置の実施の形態４の要部を示す。
同図において、画像形成装置の基本的構成は、実施の形態１と略同様であるが、実施の形態１と異なり、分布調整帯電器６０として接触式帯電器を用い、少なくとも２段目の作像エンジ１０Ｍの下流側に例えば複数、本例では、２段目と３段目の作像エンジン１０Ｍ、１０Ｃ間、及び、最終段の作像エンジン１０Ｂｋの下流側に前記接触式帯電器を設置するようにしたものである。
ここで、接触式帯電器としては、例えば中間転写ベルト２０の裏面に接触するプレート状の電極部材６２を接触配置し、この電極部材６２に可変電源６５を接続することにより、かかる電極部材６２にトナーの正規帯電極性と同極性の電圧を印加するようにしたものである。尚、中間転写ベルト２０の裏面側に接触配置する電極部材６２としては、プレート状の態様に限らず、中間転写ベルト２０に連れ回るロール状の電極部材であってもよい。
【００４３】
従って、このように分布調整帯電器６０としての電極部材６２を中間転写ベルト２０の裏面側に接触配置すると、かかる裏面側から電荷の注入が行われ、中間転写ベルト２０の表面に載ったトナーの帯電分布を補正することができる。従って、この場合であっても、トナー像の記録シートＰに対する転写効率を高めることができ、エンボス紙に対してもトナー像を確実に転写することが可能となる。
また、本実施の形態にあっても、分布調整帯電器６０としての電極部材６２の設置数、設置箇所については実施の形態１と同様に適宜選定して差し支えない。
更に、分布調整帯電器６０の制御態様についても、図７（ｂ）に仮想線で示すように、実施の形態２と同様な制御装置６６、環境センサ６７を用いて環境変化に応じて電極部材６２に印加する電圧を制御するようにしてもよいし、実施の形態３と同様な制御装置６６、シート種選択スイッチ６８等を用いて記録シートＰ種に応じて電極部材への印加電圧の有無を制御するようにしてもよい。
【実施例】
【００４４】
◎実施例１
本実施例は、実施の形態１に係る画像形成装置のうち、最終段のブラックの作像エンジン１０Ｂｋの下流側に設置された分布調整帯電器６０としてのコロトロン６１のみを働かせたモデルを用い、中間転写ベルト２０に一次転写されたトナー像の帯電分布を前記コロトロン６１を用いて補正したものである。
このモデルにおいては、コロトロン６１への印加電圧によっては、二次転写におけるトナー像の転写白抜けは防止することができるものの、中間転写ベルト２０上においてトナーが飛び散り、記録画像の画質が低下する現象が見られた。
ここで、本実施例において、コロトロン６１に対して印加する直流電圧の絶対値を変更し、記録シートＰに対するトナー像の転写白抜けの発生状況と、中間転写ベルト２０上におけるトナー飛散の発生状況とを調べたところ、図８に示す結果が得られた。尚、図８において、横軸はコロトロン６１に印加した電圧値を、縦軸は転写白抜けの発生状況及びトナー飛散の発生状況を７段階に分けて評価したグレードを示している。グレードの詳細は以下の表１の通りである。また、トナー像を二次転写する記録シートＰとしてはエンボス紙であるレザック６６（２５０ｇｓｍ）を用いた。転写白抜けについては、トナー量２００％（イエロー、マゼンタ成分の各トナー像が１００％のベタ画像）、２０ｍｍ四方の青色のパッチ画像を記録シートＰに転写して判定した。また、トナー飛び散りについては、トナー量４００％（各色成分トナー像が夫々１００％のベタ画像）、２０ｍｍ四方のパッチ画像を記録シートに転写して判定した。
【００４５】
【表１】
2006259571.tif 000003
【００４６】
この図８の実験結果では、コロトロン６１に印加する電圧がトナーと同極性（負極性）で絶対値が４．０ｋＶを超えると、転写白抜けに関するグレードが低下し、エンボス紙に対する転写画像の白抜けが減少していることが伺われる。その反面、コロトロン６１に印加する電圧がトナーと同極性（負極性）で絶対値が４．０ｋＶを超えると、コロトロン６１を通過した後の中間転写ベルト２０上でトナーの飛散が認められ、印加電圧が高まる程、トナーの飛散による画質低下は著しくなった。従って、転写白抜けを防止するという観点からは、コロトロン６１への印加電圧がトナーと同極性（負極性）で絶対値が４．０ｋＶを超えることが好ましいが、トナーの飛散による画質低下を避けるのであれば、分布調整帯電器６０であるコロトロン６１に対しての印加電圧の絶対値をある程度以下に抑えることが必要になることが理解される。
【００４７】
◎実施例２
本実施例は、実施の形態１に係る画像形成装置において、分布調整帯電器６０としてのコロトロン６１の設置数を複数にした態様についての性能評価を調べたものである。
ここで、本実施例においては、コロトロン６１に対する印加電圧を−４．５ｋＶ又は−５ｋＶとし、各コロトロン６１の設置数を変えたモデル毎に、記録シートＰに対するトナー像の転写白抜けの発生状況と、中間転写ベルト２０上におけるトナー飛散の発生状況とを調べたところ、図９に示す結果が得られた。尚、図９において、横軸のうち、「なし」はコロトロン６１を用いないモデル、「１／２色」は１段目、２段目の各作像エンジンの下流側直後にコロトロン６１を設置したモデル、「１／２／３色」は１段目、２段目、３段目の各作像エンジンの下流側直後にコロトロン６１を設置したモデル、「１／２／３／４色」は１段目〜最終段までの各作像エンジンの下流側直後にコロトロン６１を設置したモデルを示し、縦軸は転写白抜けの発生状況及びトナー飛散の発生状況を７段階に分けて評価したグレードを示している。グレードの詳細は上述した表１の通りである。
【００４８】
図９によれば、複数の分布調整帯電器６０としてのコロトロン６１を設置すると、トナーの飛び散りが減少することが判明した。例えばコロトロン印加電圧−４．５ｋＶの時、「１／２色」のモデルでは、トナーの飛び散りグレードがＧ０．５で白抜けグレードはＧ５である。これに対し、実施例１のモデル（最終段の作像エンジンの下流側のみにコロトロン６１を設置した態様）では、トナーの飛び散りグレードがＧ０．５の時白抜けグレードはＧ６であるため、複数の分布調整帯電器６０を設置することで、白抜けグレードがＧ６からＧ５へ１段階レベル改善されることが理解される。
また、「１／２／３色」のモデル又は「１／２／３／４色」のモデルでは、「１／２色」のモデルに比べて、白抜けグレードが更に向上することが理解されるが、逆に、コロトロン６１による通過回数が増える分、飛び散りグレードが悪化していることが理解される。
但し、飛び散りグレードについてはＧ３までは略良好の範囲である。
【図面の簡単な説明】
【００４９】
【図１】本発明の画像形成装置の概略構成を示す図である。
【図２】本発明が適用可能な画像形成装置の実施の形態１の全体構成を示す説明図である。
【図３】(ａ)は実施の形態１に係る画像形成装置の要部を示す説明図、(ｂ)は分布調整帯電器への電圧印加方式の一例を示す説明図である。
【図４】(ａ)(ｂ)は実施の形態１に係る分布調整帯電器の設置例の変形態様を示す説明図である。
【図５】(ａ)は実施の形態２に係る画像形成装置の要部を示す説明図、(ｂ)は分布調整帯電器の印加電圧を環境変化に応じて制御する例を示す概略図である。
【図６】(ａ)は実施の形態３に係る画像形成装置の要部を示す説明図、（ｂ）は分布調整帯電器の印加電圧の有無をシート種に応じて制御する例を示す概略図である。
【図７】(ａ)は実施の形態４に係る画像形成装置の要部を示す説明図、(ｂ)は分布調整帯電器への電圧印加方式の一例を示す説明図である。
【図８】分布調整帯電器に対する印加電圧とトナー像の転写抜け(白抜け)及びトナーの飛び散りとの関係を示すグラフである。
【図９】分布調整帯電器の各設置例に対する印加電圧とトナー像の転写抜け(白抜け)及びトナーの飛び散りとの関係を示すグラフである。
【図１０】像担持体上に現像されたトナー像中のトナーの帯電分布の例を示すグラフである。
【図１１】従来の中間転写方式のタンデム型画像形成装置において、中間転写体上のトナー像が作像エンジンを通過することによるトナーの帯電分布の変化を示す説明図である。
【符号の説明】
【００５０】
１…中間転写体，２…作像エンジン，２−１…１段目作像エンジン、２−２…２段目作像エンジン、２−ｎ…ｎ段目作像エンジン、３…記録シート、４…一括転写器、５…分布調整帯電器
【図１】
2006259571.tif 000004
【図２】
2006259571.tif 000005
【図３】
2006259571.tif 000006
【図４】
2006259571.tif 000007
【図５】
2006259571.tif 000008
【図６】
2006259571.tif 000009
【図７】
2006259571.tif 000010
【図８】
2006259571.tif 000011
【図９】
2006259571.tif 000012
【図１０】
2006259571.tif 000013
【図１１】
2006259571.tif 000014